(57)【特許請求の範囲】
【請求項１】
目地部を介して設けられた左右の建物の一方の建物の通路の目地部側床躯体に設けられた目地プレート支持部と、この目地プレート支持部に後端部が枢支され、先端部が前記他方の建物の通路の床面上をスライド移動できるように設けられた中央部が上方へ湾曲する弧状の目地プレートと、この目地プレートの両側部に該目地プレートの先端部が上方へ回動しても一方の建物の躯体と衝突しないように取付けられた一対の側部手摺とからなることを特徴とする渡り通路用目地装置。
【請求項２】
目地プレート支持部は一方の建物の通路の目地部側の床躯体にほぼ水平で、該通路の両端部より両側部へ突出するように固定されたガイドレールと、このガイドレールにスライド移動可能に取付けられた目地プレートの後端部が枢支され、かつ該目地プレートの両側部に左右の手摺が取付けられるスライド部材とで構成されていることを特徴とする請求項１記載の渡り通路用目地装置。
【請求項３】
一対の側部手摺は、一方の建物側の端部は目地プレートの先端部が上方へ回動した場合に、一方の建物の外壁面あるいは左右の手摺と衝突しないように上端部が該一方の建物の外壁面あるいは左右の手摺より順次離れるような傾斜面に形成されていることを特徴とする請求項１、２いずれかに記載の渡り通路用目地装置。
【発明の詳細な説明】
【技術分野】
【０００１】
本発明は目地部を介して設けられた左右の建物を接続する渡り通路用目地装置に関する。
【背景技術】
【０００２】
従来、この種の渡り通路用目地装置は、一方の建物の目地部側の床躯体に形成した目地プレート支持部に後端部を枢支し、先端部を他方の建物の目地部側の通路に形成した反目地部側が傾斜面の目地プレートスライド凹部にスライド移動でき、かつ上方へ回動できる板状の目地プレートを用いている。
【０００３】
このため、地震で左右の手者の目地部が狭くなったり、広くなるような揺れ動きは目地プレートの先端部が他方の建物の目地プレートスライド凹部や目地部側の通路の上面をスライド移動して、その揺れ動きを吸収することができるが、左右の建物が不等沈下した場合、目地プレートの底面に他方の建物の目地プレートスライド凹部の目地部側端部が衝突し、目地プレートの先端部を通路の床面より上方へ突出させ、危険な状態になるという欠点があった。
【先行技術文献】
【特許文献】
【０００４】
【特許文献１】特許第３８８０４８０号公報
【発明の概要】
【発明が解決しようとする課題】
【０００５】
本発明は以上のような従来の欠点に鑑み、左右の建物が地震等によって不等沈下しても、目地部側の端部の床躯体によって目地プレートを上方へ押し上げ、危険になったりするのを効率よく防止するとともに、目地プレートの両側部を手摺で覆い、かつ目地プレートの先端部が上方へ回動しても、損傷することなく、スムーズに目地プレートを回動させることができる渡り通路用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の一方の建物の通路の目地部側床躯体に設けられた目地プレート支持部と、この目地プレート支持部に後端部が枢支され、先端部が前記他方の建物の通路の床面上をスライド移動できるように設けられた中央部が上方へ湾曲する弧状の目地プレートと、この目地プレートの両側部に該目地プレートの先端部が上方へ回動しても一方の建物の躯体と衝突しないように取付けられた一対の側部手摺とで渡り通路用目地装置を構成している。
【発明の効果】
【０００８】
以上の説明から明らかなように、本発明にあっては次に列挙する効果が得られる。
（１）請求項１により、地震等で左右の建物が不等沈下した場合、他方の建物の目地プレートを支持している目地部側の端部で目地プレートを押し上げるのを、中央部が上方へ湾曲する弧状の目地プレートで防止することができる。
したがって、従来のように目地プレートの先端部が他方の建物の通路の床面より上方へ突出して危険になるのを防止できるとともに、目地プレート上に人がいても安全である。
（２）前記（１）により、地震により目地プレートの先端部が上方へ押し上げられても、一対の側部手摺が一方の建物の躯体と衝突しないので、目地プレートをスムーズに回動させることができ、損傷を効率よく阻止することができる。
（３）前記（１）により、目地プレートを弧状に形成したものを用いるとともに、一対の側部手摺を一方の建物の躯体と目地プレートの先端部が上方へ回動した時に衝突しないように目地プレートに取付けているので、構造が簡単で、容易に設置することができる。
（４）請求項２も前記（１）〜（３）と同様な効果が得られるとともに、左右の建物が前後方向に揺れ動いても、左右の手摺によって、目地部に開口することなく安全に使用することができる。
（５）請求項３も前記（１）〜（３と同様な効果が得られるとともに、目地プレートに左右の手摺を容易に取付けることができる。
【図面の簡単な説明】
【０００９】
【図１】本発明を実施するための第１の形態の平面図。
【図２】図１の２−２線に沿う断面図。
【図３】本発明を実施するための第１の形態のスライド部材の説明図。
【図４】本発明を実施するための第１の形態の目地プレートの平面図。
【図５】本発明を実施するための第１の形態の目地プレートの正面図。
【図６】本発明を実施するための第１の形態の目地プレートの底面図。
【図７】本発明を実施するための第１の形態の目地部が狭くなった動作説明図。
【図８】本発明を実施するための第１の形態の目地部が広くなった動作説明図。
【図９】本発明を実施するための第１の形態の左右の建物が不等沈下した一方の動作説明図。
【図１０】本発明を実施するための第１の形態の左右の建物が不等沈下した他方の動作説明図。
【図１１】本発明を実施するための第２の形態の平面図。
【図１２】図１１の１２−１２線に沿う断面図。
【図１３】本発明を実施するための第２の形態の目地プレートの説明図。
【図１４】本発明を実施するための第３の形態の平面図。
【図１５】図１４の１５−１５線に沿う断面図。
【図１６】本発明を実施するための第３の形態の目地プレート支持部の説明図。
【図１７】本発明を実施するための第４の形態の平面図。
【図１８】図１７の１８−１８線に沿う断面図。
【図１９】本発明を実施するための第４の形態の渡り通路の説明図。
【発明を実施するための形態】
【００１０】
以下、図面に示す本発明を実施するための形態により、本発明を詳細に説明する。
【００１１】
図１ないし図１０に示す本発明を実施するための第１の形態において、１は目地部２を介して設けられた左右の建物３、３を接続する本発明の渡り通路用目地装置で、この渡り通路用目地装置１は一方の建物３の通路４の目地部側床躯体５に設けられた目地プレート支持部６と、この目地プレート支持部６に後端部が枢支され、先端部が前記左右の建物３、３の他方の建物３より突出する渡り通路７の床面７ａ上をスライド移動できるように設けられた中央部が上方へ湾曲する弧状で、かつ前記目地部２の幅寸法の約２倍の幅寸法の目地プレート８と、この目地プレート８の両側部に、該目地プレート８の先端部が上方へ回動しても、他の部材と衝突しないように取付けられた、前記一方の建物３側の上部が離れるような傾斜面９に形成された一対の側部手摺１０、１０と、この一対の側部手摺１０、１０を前記渡り通路７の側壁７ｂ、７ｂにスライド移動可能に支持するコ字状の支持部材１１、１１とで構成されている。
【００１２】
前記目地プレート支持部６は前記一方の建物３の通路４の目地部側の床躯体５にほぼ水平で、該通路４の両端部より両側部へ突出するように固定された金属材製のガイドレール１２と、このガイドレール１２にスライド移動可能に取付けられた底面に複数個のローラー１３が取付けられた金属材製のスライド部材本体１４、このスライド部材本体１４の前記通路４と対応する部位の上面に所定間隔で溶接等で固定されたピン挿入孔１５が形成された複数個の取付金具１６とからなるスライド部材１７とで構成されている。
【００１３】
前記スライド部材１７の目地プレート８が取付けられる部位の両端部位には左右の手摺１８、１８が固定され、該左右の手摺１８、１８の上部位置の外壁面には左右の手摺１８、１８の前後方向のスライド移動を可能に支持する支持部材１９、１９が取付けられている。
【００１４】
前記目地プレート８は後端部が前記スライド部材１７の取付金具１６、１６、１６に枢支ピン２０、２０、２０で枢支され、先端部のローラー２１、２１、２１が取付けられた弧状の補強バー２２、２２、２２と、この弧状の補強バー２２、２２、２２の上面を覆うように、該弧状の補強バー２２、２２、２２に溶接等で固定された目地カバー２３と、この目地カバー２３の先端部にヒンジ部材２４を介して取付けられたカバープレート２５とで構成されている。
【００１５】
上記構成の渡り通路用目地装置１は、通常時には目地部２を目地プレート８、目地プレート８の両側部に取付けられた一対の側部手摺１０、１０で覆われているため、安全に走行することができる。
【００１６】
地震で左右の建物３、３が揺れ動き目地部２が狭くなると、図７に示すように目地プレート８の先端部が他方の建物３より突出する渡り通路７の床面７ａ上をスライド移動し、その揺れ動きを吸収する。
【００１７】
この時、目地プレート８の両側部に取付けられた一対の側部手摺１０、１０も同様に移動するが、支持部材１１、１１によって上部がスライド移動可能に支持されているため、大きな力が加わっても損傷したり、曲がったりするのを防止できる。
【００１８】
また、地震で左右の建物３、３が揺れ動き目地部２が広くなると、図８に示すように、目地プレート８の先端部が他方の建物３より突出する渡り通路７の床面７ａ上をスライド移動し、その揺れ動きを吸収する。
【００１９】
この時、目地プレート８の両側部に取付けられた一対の側部手摺１０、１０も同様に移動するが、この移動は支持部材１１、１１に支持されたスライド移動となる。
【００２０】
さらに、地震等で左右の建物３、３が不等沈下した場合、図９に示すように目地プレート８の弧状の凹部２６部位に他方の建物３の渡り通路７の目地部側端部が入り込み、押し上げることがなく目地プレート８の先端部は渡り通路７の床面７ａに当接した状態を保ち、危険になることなく安全に使用することができる。
【００２１】
また、渡り通路７側が下方へ沈下した場合には、図１０に示すように目地プレート８の先端部が渡り通路７の床面７ａに当接した状態で下方へ回動するため、目地プレート８の先端部が床面７ａより離れることがなく、安全である。
【００２２】
[発明を実施するための異なる形態]
次に、図１１ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図１１ないし図１３に示す本発明を実施するための第２の形態において、前記本発明を実施するための第１の形態と主に異なる点は、厚手の弧状に形成した目地プレート本体２７、この目地プレート本体２７の後端部の底面に固定されたスライド部材１７の取付金具１６、１６、１６と係合するピン挿入孔１５が形成された支持金具２８、２８、２８と、前記目地プレート本体２７の先端部の底面に取付けられた複数個のローラー２１とからなる目地プレート８Ａを用いるとともに、目地プレート８Ａの両側部に取付けられる一対の側部手摺１０Ａ、１０Ａをスライド部材１７に取付けられた左右の手摺１８、１８の内側端部と衝突しない内側部位に位置するように取付けた点で、このように構成した渡り通路用目地装置１Ａにしても、前記本発明を実施するための第１の形態と同様な作用効果が得られる。
【００２４】
図１４ないし図１６に示す本発明を実施するための第３の形態において、前記本発明を実施するための第１の形態と主に異なる点は、一方の建物３の通路４の目地部側床躯体５に目地プレート８の後端部を支持する凹部状の目地プレート支持部６Ａを形成し、該目地プレート支持部６Ａに目地プレート８の後端部を先端部が上下方向に回動するように取付けた点で、このように構成した渡り通路用目地装置１Ｂにしても、前記本発明を実施するための第１の形態と同様に左右の建物３、３が不等沈下しても、目地プレート８を他方の建物３の目地部側の端部で押し上げるのを効率よく阻止することができる。
【００２５】
図１７ないし図１９に示す本発明を実施するための第４の形態において、前記本発明を実施するための第１の形態と主に異なる点は、目地プレート８の先端部のローラー２１が移動する範囲全体の床面７ａにスベリ材を設けたり、あるいはローラー２１が移動する範囲にスベリ材２９を配置し、それ以外の部位はモルタル３０を配置した床面７ａにした点で、このように構成した渡り通路用目地装置１Ｃにしても、前記本発明を実施するための第１の形態と同様な作用効果が得られる。
【００２６】
なお、前記本発明を実施するための各形態では目地プレート８、８Ａの先端部の底面にローラー２１を設置するものについて説明したが、本発明はこれに限らず、半円弧状の突起を形成したり、目地プレート８、８Ａの先端部の底面を平坦面に形成し、床面にスベリ材を配置したものであっても、同様な作用効果が得られる。
【産業上の利用可能性】
【００２７】
本発明は目地部を介して設けられた左右の建物を接続する所に使用される渡り通路用目地装置を製造する産業で利用される。
【符号の説明】
【００２８】
１、１Ａ、１Ｂ、１Ｃ：渡り通路用目地装置、
２：目地部、        ３：建物、
４：通路、          ５：目地部側床躯体、  
６、６Ａ：目地プレート支持部、  ７：渡り通路、
７ａ：床面、        ８、８Ａ：目地プレート、
９：傾斜面、        １０：側部手摺、
１１：支持部材、      １２：ガイドレール、
１３：ローラー、      １４：スライド部材本体、
１５：ピン挿入孔、      １６：取付金具、
１７：スライド部材、    １８：左右の手摺、
１９：支持部材、      ２０：枢支ピン、  
２１：ローラー、      ２２：弧状の補強バー、
２３：目地カバー、      ２４：ヒンジ部材、
２５：カバープレート、    ２６：弧状の凹部、
２７：目地プレート本体、    ２８：支持金具、    
２９：スベリ材、      ３０：モルタル。
【図１】
0005296037.tif 000002
【図２】
0005296037.tif 000003
【図３】
0005296037.tif 000004
【図４】
0005296037.tif 000005
【図５】
0005296037.tif 000006
【図６】
0005296037.tif 000007
【図７】
0005296037.tif 000008
【図８】
0005296037.tif 000009
【図９】
0005296037.tif 000010
【図１０】
0005296037.tif 000011
【図１１】
0005296037.tif 000012
【図１２】
0005296037.tif 000013
【図１３】
0005296037.tif 000014
【図１４】
0005296037.tif 000015
【図１５】
0005296037.tif 000016
【図１６】
0005296037.tif 000017
【図１７】
0005296037.tif 000018
【図１８】
0005296037.tif 000019
【図１９】
0005296037.tif 000020